【事件の表示】
　特願２０１２−１８８７５８「装置、方法、及びプログラム」拒絶査定不服審判事件〔平成２５年　４月１１日出願公開、特開２０１３−　６５２９４、請求項の数（７）〕について、次のとおり審決する。
【結　論】
　原査定を取り消す。
　本願の発明は、特許すべきものとする。
【理　由】
第１　手続の経緯
　本願は、平成２４年８月２９日の出願であって、平成２７年３月１１日付けで拒絶理由が通知され、同年５月１８日付けで手続補正がされ、同年１０月２２日付けで拒絶査定（以下、「原査定」という。）がなされ、これに対して、平成２８年１月２７日に拒絶査定不服審判が請求され、その後、当審において平成２８年５月３０日付けで拒絶理由（以下、「当審拒絶理由」という。）が通知され、平成２８年８月１日付けで手続補正がされたものである。
　
第２　本願発明
　本願の請求項１−７に係る発明は、平成２８年８月１日付けの手続補正で補正された特許請求の範囲の請求項１−７に記載された事項により特定されるものと認められるところ、本願の請求項１に係る発明（以下、「本願発明」という。）は以下のとおりである。
「【請求項１】
　複数のホーム画面のいずれか１つを表示し、前記ホーム画面内に前記複数のホーム画面を示す複数のシンボルを表示するタッチスクリーンディスプレイと、
　前記ホーム画面内に表示するアイコンの配置を調整する調整モードにおいて、複数のホーム画面内に表示される前記複数のシンボルの１つに前記アイコンが重ねられると、当該１つのシンボルとそれ以外のシンボルとの距離を長くし、前記複数のシンボルの１つに前記アイコンが重ねられてリリースされると、前記１つのシンボルが示すホーム画面に前記アイコンを移動させるコントローラと、
　を備える装置。」
第３　原査定の理由について
１．原査定の理由の概要
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記　　　（引用文献等については引用文献等一覧参照）
・請求項　　　１、６及び７
・引用文献等　１〜４
・備考
　引用文献１には、タッチスクリーンにホーム画面を表示し、該ホーム画面に表示された任意のアイコンが長押しされると、アイコンを移動可能な状態（本願発明における「調整モード」に相当する。）にする装置の発明が記載されている。
　ここで、複数のホーム画面を示すサムネイル（本願発明における「シンボル」に相当する。）を表示し、当該サムネイルにアイコンが重ねられてリリースされると、当該サムネイルが示すホーム画面に当該アイコンを配置させることは、周知の技術であり、例えば、引用文献２〜４などに記載されている。
　したがって、引用文献１に記載の発明に、上記周知の技術を適用し、アイコンを移動可能な状態において、複数のホーム画面を示すサムネイルにアイコンが重ねられてリリースされると、当該サムネイルが示すホーム画面に当該アイコンを配置させることは、当業者が容易に想到し得たものである。
　　　　　　　　　　　　　＜引用文献等一覧＞
１.芝田隆広，“今すぐ使えるかんたんｍｉｎｉ  ｉＰｈｏｎｅ［厳選］アプリ  徹底活用技”，株式会社技術評論社，２０１０年１２月２５日，初版，ｐ.１２及び２４
２.篠田ヒロシ，“ＡＲポケットガイド”，株式会社毎日コミュニケーションズ，２０１０年　６月３０日，初版，ｐ.２０−２１（周知技術を示す文献）
３.新川茂人，“ｉＰａｄ  ＳＴＡＲＴ  ＧＵＩＤＥ”，株式会社毎日コミュニケーションズ，２０１０年　６月　１日，ｐ.７２（周知技術を示す文献）
４.小山香織，“ｉＰａｄビジネス活用ガイド”，株式会社毎日コミュニケーションズ，２０１１年　７月　６日，初版，ｐ.２８−３１（周知技術を示す文献）
２．原査定の理由の判断
（１）引用例の記載事項と引用例記載の発明
　原査定で引用された、本願の出願日前に頒布された刊行物である、芝田隆広，“今すぐ使えるかんたんｍｉｎｉ  ｉＰｈｏｎｅ［厳選］アプリ  徹底活用技”，株式会社技術評論社，２０１０年１２月２５日，初版，ｐ.１２及び２４（以下「引用例１」という。）には、図面とともに以下の事項が記載されている。
ａ）「Ｓｅｃｔｉｏｎ　０１
第１章　アプリ活用の基本
ｉＰｈｏｎｅの基本操作を確認しよう
１　ホーム画面の基本操作
ｉＰｈｏｎｅの操作のほとんどは、ディスプレイを直接指でタッチして行います。基本的な操作をここで確認しておきましょう。
Ｍｅｍｏ　＜ホーム＞ボタンについて
アプリ起動中に＜ホーム＞ボタンを押すと、アプリを終了してホーム画面に戻ることができます（Ｐ．１３参照）。下記のようにホーム画面の２ページ目以降を表示しているときに＜ホーム＞ボタンを押すと、１ページ目のホーム画面に戻ります。」（第１２頁の記載。）
ｂ）第１２頁の左上側には、複数の図形を有する画面が表示された装置の図が示されており、当該装置の図の右側には、前記複数の図形の１つから引出線を引き出して「アプリケーションアイコン」、画面から引出線を引き出して「タッチスクリーン」、画面下のボタンから引出線を引き出して「＜ホーム＞ボタン」と記載されている。
ｃ）「Ｓｅｃｔｉｏｎ　０５
第１章　アプリ活用の基本
インストールしたアプリを管理しよう
デスクトップのアイコンが多くなってきたら、アイコンを移動して使いやすい配置に整理しましょう。またｉＰｈｏｎｅ用ＯＳ「ｉＯＳ」の４．０以降では、アイコンをフォルダにまとめることもできるようになりました。
１　アイコンの配置を並び換える
１　任意のアイコンを長押しします。
２　アイコンがゆらゆら動き始め、移動可能な状態になります。
３　アイコンをドラッグし好きな位置に配置します。
４　画面端にアイコンを移動すると、隣のページに移動します。
＜ホーム＞ボタンを押すと通常の画面に戻ります。
Ｍｅｍｏ　アプリは何個まで入れられる？
ｉＰｈｏｎｅでアイコンを配置できる「ホーム画面」は、最大で１１ページまで増やすことができます。また、１つのフォルダにアプリを１２個まで登録でき、フォルダは最大で１８０個まで作成可能です。全部合わせると最大２１６０個のアプリを入れることができます。」（第２４頁の記載。）
　上記摘記事項ａ）及びｂ）より、ｉＰｈｏｎｅは、タッチスクリーンからなるディスプレイに複数のホーム画面のいずれか１つのページを表示し、前記ホーム画面の各ページ内にアイコンを表示するものであることは、明らかである。
　また、ｉＰｏｎｅは、第１２頁の各図からも明らかなように、ホーム画面の各ページ内に、ホーム画面のページに対応する複数のシンボル（いわゆる「ページドット」）を表示するものであること、ｉＰｏｎｅが携帯型情報処理装置であることは、広く知られたことである。
　そうすると、引用例１には以下の発明（以下、「引用例１記載の発明」という。）が記載されている。
「タッチスクリーンからなるディスプレイに複数のホーム画面のいずれか１つのページを表示し、前記ホーム画面の各ページ内にアイコン及びホーム画面のページに対応する複数のシンボルを表示し、
　操作のほとんどは、ディスプレイを直接指でタッチして行う携帯型情報処理装置において、
　任意のアイコンを長押しすると、アイコンがゆらゆら動き始め、移動可能な状態になり、アイコンをドラッグし好きな位置に配置でき、
　画面端にアイコンを移動すると、隣のページに移動する
　携帯型情報処理装置。」
　原査定で引用された、本願の出願日前に頒布された刊行物である、篠田ヒロシ，“ＡＲポケットガイド”，株式会社毎日コミュニケーションズ，２０１０年　６月３０日，初版，ｐ.２０−２１（以下「引用例２」という。）には、図面とともに以下の事項が記載されている。
ｄ）「＊パソコン上の「ｉＴｕｎｅｓ」でアプリケーションを管理する
ｉＰｈｏｎｅ単体でもアプリケーションを管理することはできますが、パソコン版「ｉＴｕｎｅｓ」と同期してパソコンの広い画面で作業を行うと、アプリのインストールやアイコンの配置変更も簡単です。」（第２０頁の記載。）
ｅ）「３　アイコンの配置変更はドラッグ＆ドロップで簡単！
「ｉＰｈｏｎｅサマリー」の［アプリ］タブをクリックします。ｉＰｈｏｎｅのホーム画面と、その右側に前ページのサムネイルが並びます。アイコンはドラッグ＆ドロップで移動可能で、ページをまたいだ変更も、とても簡単です。」（第２１頁の記載。）
ｆ）第２１頁の「３　アイコンの配置変更はドラッグ＆ドロップで簡単！」の欄には、「ｉＴｕｎｅｓ」の画面が示されると共に、画面中の［アプリ］タブから引出線が引き出され「１ここをクリック。」と記載されると共に、画面中の「ｉＰｈｏｎｅのホーム画面」から「全ページのサムネイル」に向かう破線矢印から引出線が引き出され「２アイコンはドラッグ＆ドロップで移動可能。」と記載されている。
　原査定で引用された、本願の出願日前に頒布された刊行物である、新川茂人，“ｉＰａｄ  ＳＴＡＲＴ  ＧＵＩＤＥ”，株式会社毎日コミュニケーションズ，２０１０年　６月　１日，ｐ.７２（以下「引用例３」という。）には、図面とともに以下の事項が記載されている。
ｇ）「Ｑアプリのアイコンを一気に整理したい
　ｉＰｈｏｎｅやｉＰｏｄタッチと同様に、ｉＴｕｎｅｓ上からｉＰａｄのホーム画面を管理できます。アプリのアイコンをドラッグ＆ドロップしての並べ替えや新しい画面の作成が、ｉＰａｄ本体から行うよりも手軽に行えるので、アプリの数が増えてきて整理が大変になったときは、こちらで行うといいでしょう。」（第７２頁の記載。）
ｈ）第７２頁の「Ｑアプリのアイコンを一気に整理したい」の欄の左側には、ｉＴｕｎｅｓの画面が示され、その下に、「１　ｉＴｕｎｅｓの［デバイス］リストからｉＰａｄを選択し、［アプリ］タブを開くと、ｉＰａｄのホーム画面がそのまま見られる設定画面が表示されます。」と記載され、同欄右上側には、ｉＴｕｎｅｓの画面が示され、その下に、「２　アプリのアイコンをドラッグ＆ドロップして、自由に並び換えられます。アプリが何も置かれていない画面にドロップすると、新しい画面が追加されます。」と記載されている。
　原査定で引用された、本願の出願日前に頒布された刊行物である、小山香織，“ｉＰａｄビジネス活用ガイド”，株式会社毎日コミュニケーションズ，２０１１年　７月　６日，初版，ｐ.２８−３１（以下「引用例４」という。）には、図面とともに以下の事項が記載されている。
ｉ）「＊パソコンのｉＴｕｎｅｓと同期する
パソコンの「ｉＴｕｎｅｓ」でアプリケーションや音楽などを管理し、ｉＰａｄに同期できます。アイコンの並べ替えやフォルダの作成などは、ｉＰａｄよりも「ｉＴｕｎｅｓ」のほうがやりやすいかもしれません。」（第２８頁の記載。）
ｊ）「４　アイコンを並べ替える
アイコンをドラッグして並べ替えると、それもｉＰａｄに反映します。別のページへドラッグして移動することもできます。」（第２９頁の記載。）
ｋ）第２９頁の「４　アイコンを並べ替える」の欄には、「ｉＴｕｎｅｓ」の画面が示され、当該画面中の「ｉＰａｄ＿２」の領域から引出線が引き出され「ここでアイコンを並べ替える」と記載されると共に、「ｉＰａｄ＿２」の領域からサムネイルに向かう矢印が示され「アイコンを別のページにドラッグできる」と記載されている。
（２）対比
　本願発明と引用例１記載の発明とを対比する。
ア．引用例１記載の発明の「タッチスクリーンからなるディスプレイ」は「複数のホーム画面のいずれか１つのページを表示し、前記ホーム画面の各ページ内にアイコン及びホーム画面のページに対応する複数のシンボルを表示」ものであるから、本願発明の「複数のホーム画面のいずれか１つを表示し、前記ホーム画面内に前記複数のホーム画面を示す複数のシンボルを表示するタッチスクリーンディスプレイ」に相当する。
イ．引用例１記載の発明は、「任意のアイコンを長押しすると、アイコンがゆらゆら動き始め、移動可能な状態になり、アイコンをドラッグし好きな位置に配置」できるものであり、当該「アイコン」の「移動可能な状態」は、本願発明と同様に「ホーム画面内に表示するアイコンの配置を調整する調整モード」ともいい得るものである。
　また、引用例１記載の発明の「アイコンをドラッグし好きな位置に配置」することを、表示制御を行うコントローラが行っているのは明らかである。
　したがって、引用例１記載の発明は、本願発明の「前記ホーム画面内に表示するアイコンの配置を調整する調整モードにおいて、複数のホーム画面内に表示される前記複数のシンボルの１つに前記アイコンが重ねられると、当該１つのシンボルとそれ以外のシンボルとの距離を長くし、前記複数のシンボルの１つに前記アイコンが重ねられてリリースされると、前記１つのシンボルが示すホーム画面に前記アイコンを移動させるコントローラ」と「前記ホーム画面内に表示するアイコンの配置を調整する調整モードにおいて、前記アイコンを移動させるコントローラ」である点では共通する構成を有するといえる。
　したがって、両者は以下の一致点と相違点を有する。
〈一致点〉
「複数のホーム画面のいずれか１つを表示し、前記ホーム画面内に前記複数のホーム画面を示す複数のシンボルを表示するタッチスクリーンディスプレイと、
　前記ホーム画面内に表示するアイコンの配置を調整する調整モードにおいて、前記アイコンを移動させるコントローラと、
　を備える装置。」
〈相違点〉
　本願発明は、アイコンを移動させるコントローラが、「複数のホーム画面内に表示される前記複数のシンボルの１つに前記アイコンが重ねられると、当該１つのシンボルとそれ以外のシンボルとの距離を長くし、前記複数のシンボルの１つに前記アイコンが重ねられてリリースされると、前記１つのシンボルが示すホーム画面に前記アイコンを移動させる」ものであるのに対し、引用例１記載の発明は、そのようなものとはされていない点。
（３）判断
　上記相違点について検討する。
　上記引用例２〜４に記載されるように、アイコンをドラッグし、複数のホーム画面を示すサムネイルにアイコンが重ねられてリリースされると、当該サムネイルが示すホーム画面に当該アイコンを配置させる技術は、本願出願前周知技術であるものと認められる。
　しかしながら、上記周知技術のサムネイルは、ホーム画面内に表示されるものではなく、上記「シンボル」に相当するものとはいえないから、引用例１記載の発明において、上記周知技術を適用することは、当業者が容易に想到し得ることではない。
　また、上記周知技術は、１つのサムネイルにアイコンが重ねられると、当該１つのサムネイルとそれ以外のサムネイルとの距離を長くするものではない。
　したがって、たとえ引用例１記載の発明において上記周知技術を採用できたとしても、上記相違点に係る本願発明の構成に到るものではない。
　ほかに、引用例１〜４の記載からは、上記相違点の克服が容易であったといえる根拠を見出すことはできない。
（４）小括
　したがって、本願発明は、引用例１記載の発明及び上記周知技術に基づいて、当業者が容易に発明をすることができたとはいえない。
　本願の請求項２〜５に係る発明は、本願発明をさらに限定したもの、本願の請求項６に係る発明は、本願発明を方法としたもの、本願の請求項７に係る発明は、本願発明をプログラムとしたものであるので、本願発明と同様に、当業者が引用例１記載の発明及び上記周知技術に基づいて容易に発明をすることができたとはいえない。
　よって、原査定の理由によっては、本願を拒絶することはできない。
第４　当審拒絶理由について
１．当審拒絶理由の概要
　本件出願の下記の請求項に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　記（引用例は、末尾の「引用文献等一覧」参照） 
・請求項１〜７について引用例１，２ 
・備考 
 　 
１．請求項１について 
本願発明１と引用例１記載の発明は以下の一致点と相違点とを有する。 
〈一致点〉 
　「複数のホーム画面のいずれか１つを表示し、前記ホーム画面内に前記複数のホーム画面を示す複数のシンボルを表示するタッチスクリーンディスプレイと、 
　前記複数のホーム画面内に表示される前記複数のシンボルのいずれか１つに前記アイコンが重ねられてリリースされると、当該１つのシンボルが示すホーム画面に当該アイコンを移動させるコントローラと、 
　を備える装置。」である点。 
〈相違点〉 
　本願発明１は、「ホーム画面内に表示するアイコンの配置を調整する調整モード」においてアイコンを移動させるものであるのに対し、引用例１記載の発明は、そのようなモードにおいてアイコンを移動させるものとされていない点。
〈相違点について〉 
　引用例２には、「アイコンの配置を並び換える」ために、「任意のアイコンを長押し」し「アイコンがゆらゆら動き始め、移動可能な状態」にする技術（以下、「引用例２記載の技術」という。）が記載されている。 
　上記引用例２記載の技術は、「アイコンの配置を調整する調整モード」とする技術ともいい得るものであり、そして、引用例１記載の発明の電子機器においても、上記引用例２記載の技術は有用かつ採用可能であり、また、採用を妨げる事情はないから、引用例１記載の発明に引用例２記載の技術を適用して、上記相違点に係る本願発明１の構成を得ることは、当業者が容易になし得ることである。
　　　　　　　　　　引　用　文　献　等　一　覧 
引用例１：米国特許出願公開第２０１１／０２７１１８２号明細書
引用例２：芝田隆広，“今すぐ使えるかんたんｍｉｎｉ ｉＰｈｏｎｅ［厳選］アプリ 徹底活用技”，株式会社技術評論社，２０１０年１２月２５日，初版，ｐ.１２及び２４
２．当審拒絶理由の判断
（１）引用例の記載事項と引用例記載の発明
　当審拒絶理由で引用された、本願の出願日前に頒布された刊行物である、米国特許出願公開第２０１１／０２７１１８２号明細書（以下「引用例Ａ」という。）には、図面とともに以下の事項が記載されている。
ｌ）「［0001］The exemplary embodiment(s) of the present invention relates to a field of electronic apparatus and control method thereof. More specifically, the exemplary embodiment(s) of the present invention relates to 
an electronic apparatus
that quickly moves the icons between pages
ページ間のアイコンを迅速に移動させる電子機器
ｍ）「［0024］Please refer to FIG. 2, which is a schematic diagram of an embodiment in accordance with the present invention. As shown in this figure, 
the electronic apparatus
comprises a touch-controlled panel 10 and a control module
The touch-controlled panel 10 displays a plurality of icons (100, 101 and 102) and a page-indexing row 103
The page-indexing row 103 comprises a plurality of number indexes (1030, 1031 and 1032), and each number index (1030, 1031 and 1032) represents a page
when a user 2 touches one of the icons (100, 101 and 102) in page one (for example, icon 100), then the control module starts to determine whether the icon 100 is dragged to the site of one of the number index (1030, 1031 and 1032) shown in the page-indexing row (for example, number index 1030), and focuses the number index 1030 when the icon 100 is dragged to the site of the number index 1030
The control module further determines whether the icon 100 is touched at the site of the focused number index 1030, and moves the icon 100 to a page (i.e., page five) represented by the focused number index 1030 when the icon 100 is not touched (i.e., be released by the user 2) at the site of the focused number index 1030
［0025］Please refer to FIG. 3, which is another schematic diagram of an embodiment in accordance with the present invention. As shown in this figure, before determining whether the icon 100 is touched at the site of the focused number index 1030, the control module further determines whether the icon 100 is dragged away from the site of the focused number index 1030, and defocuses the focused number index 1030 when the icon 100 is dragged away from the focused number index 1030. At this time, if the user drags the icon 100 to the site of the index number 1031 which represents the page six, then the number index 1031 will be focused according to the way aforementioned. 
The way to focus the number indexes includes lightening the number indexes, twinkling the number indexes, zooming in the number indexes or the combining the ways aforesaid
［0026］The concept of the electronic apparatus control method in accordance to the present invention is described together with the description of the electronic apparatus disclosed in the present invention, but in order to get clearer, the following will still illustrate the flow chart of the electronic apparatus control method.
［0027］Please refer to FIG. 4, which is a flow chart of an electronic apparatus control method in accordance with the present invention. The electronic apparatus comprises a touch-controlled panel and a control module, and the control method comprising the following steps of: (S10) touching and dragging at least one icon shown on the touch-controlled panel to a page-indexing row, the page-indexing row comprising a plurality of number indexes, and each number index representing a page; (S20) determining whether the icon is dragged to the site of one of the number index shown in the page-indexing row by the control module; (S30) focusing the number index when the icon is dragged to the site of one of the number index; (S40) determining whether the icon is touched at the site of the focused number index by the control module; (S50) moving the icon to a page represented by the focused number index when the icon is not touched at the site of the focused number index. In addition, an application program is executed by the control module when one of the icons is clicked.
［0028］Please refer to FIG. 5, which is another flow chart of an electronic apparatus control method in accordance with the present invention. As shown in this figure, before step (S40), the control method according to the present invention further comprises the following steps of: (S31) determining whether the icon is dragged away from the site of the focused number index by the control module; (S32) defocusing the focused number index when the icon is dragged away from the focused number index by the control module.」（［0024］〜［0028］の記載。）（当審訳：［0024］本発明の一実施形態の概略図である、図2を参照する。同図に示すように、本発明に係る
電子機器1は、タッチ制御パネル10および制御モジュール
を備え
タッチ制御パネル10は、複数のアイコン(100、101、102)とページインデックス列103を表示し
ページインデックス列103は、複数の番号インデックス(1030、1031、1032)を備え、そして、各番号インデックス(1030、1031、1032)はページを示して
ユーザ2が、ページ1中のいずれか1つのアイコン(100、101、102)に接触すると(例えば、アイコン100)、制御モジュールは、アイコン100が、ページインデックス列に示される番号インデックス(1030、1031、1032)のうちの1つ(例えば、インデックス1030)の場所にドラッグされたか否かを判定するように起動し、そして、アイコン100が番号インデックス1030の場所にドラッグされると、番号インデックス1030をフォーカス
制御モジュールはさらに、アイコン100がフォーカスされた番号インデックス1030の場所でタッチされたか否かを判定し、そして、アイコン100が、フォーカスされた番号インデックス1030の場所でタッチされない(すなわち、ユーザ2によりリリースされた)とき、アイコン100を、フォーカスされた番号インデックス1030で表されるページ(例えば、ページ5)に移動させる
［0025］本発明の一実施形態の別の概略図である図3を参照する。図に示すように、アイコン100がフォーカスされた番号インデックス1030の場所で接触されたか否かを判定する前に、制御モジュールは、アイコン100はフォーカスされた番号インデックス1030から離れるようにドラッグされるか否かを、さらに判断し、そして、アイコン100がフォーカスされた番号インデックス1030から離れるようにドラッグされたとき、フォーカスされた番号インデックス1030をデフォーカスする。このとき、ユーザが、アイコン100をページ6を表すインデックス番号1031の場所にドラッグすると、番号インデックス1031は、上記した方法に従ってフォーカスされるだろう。
番号インデックスをフォーカスする方法は、番号インデックスを輝かせること、番号インデックスを瞬かせること、番号インデックスをズームさせること、または、上述した組み合わせを含む
［0026］本発明に係る電子機器制御方法の概念は、本発明に係る電子機器の説明と併せて説明しているが、より分かりやすくするために、電子機器制御方法のフローチャートを、以下に提示する。
［0027］本発明の電子機器制御方法のフローチャートである、図4を参照する。電子機器は、タッチ操作パネルおよび制御モジュールを備えており、そして、制御方法は以下のステップを備える。：（S 10）ページインデックス列に、タッチ制御パネルに示す少なくとも1つのアイコンをタッチし、そしてドラッグする。ページインデックス列は複数の番号インデックスからなる。そして各番号インデックスはページを表す。；(S 20 )制御モジュールによってページインデックス列に示される番号インデックスのうちの1つの場所に、アイコンがドラッグされたかどうかを判定する。；(S 30 )番号インデックスの1つの場所にアイコンがドラックされるとき、番号インデックスをフォーカスする。；(S 40 )制御モジュールにより、アイコンが、フォーカスされた番号インデックスの場所でタッチされたかどうかを判定する。；(S 50 )フォーカスされた番号インデックスの場所でアイコンがタッチされないとき、フォーカスされた番号インデックスで示されるページへアイコンを移動させる。加えて、アイコンの1つがクリックされると、アプリケーションプログラムが制御モジュールによって実行される。
［0028］本発明の電子機器制御方法の他のフローチャートである、図5を参照する。同図に示すように、ステップ(S 40 )の前に、本発明に係る制御方法は、以下のステップをさらに含む。：(S 31 )制御モジュールによって、アイコンが、フォーカスされた番号インデックスの場所から離れるようにドラッグされるか否かを判定する。；(S 32 )アイコンが、フォーカスされた番号インデックスから離れるようにドラッグされると、フォーカスされた番号インデックスをデフォーカスする。）
　してみると、引用例Ａには以下の発明（以下、「引用例Ａ記載の発明」という。）が記載されている。
　「電子機器1は、タッチ制御パネル10および制御モジュールを備え、
　タッチ制御パネル10は、複数のアイコン(100、101、102)とページインデックス列103を表示し、
　ページインデックス列103は、複数の番号インデックス(1030、1031、1032)を備え、そして、各番号インデックス(1030、1031、1032)はページを示しており、
　ユーザ2が、ページ1中のいずれか1つのアイコン(100、101、102)に接触すると(例えば、アイコン100)、制御モジュールは、アイコン100が、ページインデックス列に示される番号インデックス(1030、1031、1032)のうちの1つ(例えば、インデックス1030)の場所にドラッグされたか否かを判定するように起動し、そして、アイコン100が番号インデックス1030の場所にドラッグされると、番号インデックス1030をフォーカスし、
　制御モジュールはさらに、アイコン100がフォーカスされた番号インデックス1030の場所でタッチされたか否かを判定し、そして、アイコン100が、フォーカスされた番号インデックス1030の場所でタッチされない(すなわち、ユーザ2によりリリースされた)とき、アイコン100を、フォーカスされた番号インデックス1030で表されるページ(例えば、ページ5)に移動させるものであり、
　番号インデックスをフォーカスする方法は、番号インデックスを輝かせること、番号インデックスを瞬かせること、番号インデックスをズームさせること、または、上述した組み合わせを含む
　ページ間のアイコンを迅速に移動させる電子機器。」
　当審拒絶理由で引用された、本願の出願日前に頒布された刊行物である、芝田隆広，“今すぐ使えるかんたんｍｉｎｉ ｉＰｈｏｎｅ［厳選］アプリ 徹底活用技”，株式会社技術評論社，２０１０年１２月２５日，初版，ｐ.１２及び２４（以下「引用例Ｂ」という。）には、図面とともに以下の事項が記載されている。
ｎ）「Ｓｅｃｔｉｏｎ　０５
第１章　アプリ活用の基本
インストールしたアプリを管理しよう
デスクトップのアイコンが多くなってきたら、アイコンを移動して使いやすい配置に整理しましょう。またｉＰｈｏｎｅ用ＯＳ「ｉＯＳ」の４．０以降では、アイコンをフォルダにまとめることもできるようになりました。
１　アイコンの配置を並び換える
１　任意のアイコンを長押しします。
２　アイコンがゆらゆら動き始め、移動可能な状態になります。
３　アイコンをドラッグし好きな位置に配置します。
４　画面端にアイコンを移動すると、隣のページに移動します。
＜ホーム＞ボタンを押すと通常の画面に戻ります。
Ｍｅｍｏ　アプリは何個まで入れられる？
ｉＰｈｏｎｅでアイコンを配置できる「ホーム画面」は、最大で１１ページまで増やすことができます。また、１つのフォルダにアプリを１２個まで登録でき、フォルダは最大で１８０個まで作成可能です。全部合わせると最大２１６０個のアプリを入れることができます。」（第２４頁の記載。）
　してみると、引用例Ｂには、任意のアイコンを長押しすることにより、アイコンがゆらゆら動き始め、移動可能な状態とする、すなわち、アイコンの配置を調整する調整モードといい得る状態においてアイコンを移動させる技術（以下、「引用例Ｂ記載の技術」という。）が記載されている。
（２）対比
本願発明と引用例Ａ記載の発明とを対比する。
ウ．引用例Ａ記載の発明は「複数の番号インデックス(1030、1031、1032)を備え、そして、各番号インデックス(1030、1031、1032)はページを示し」ているから、引用例Ａ記載の発明が「複数のページ」を有しているのは明らかである。
　また、引用例Ａ記載の発明は「ページ1中のいずれか1つのアイコン(100、101、102)に接触すると(例えば、アイコン100)、制御モジュールは、アイコン100が、ページインデックス列に示される番号インデックス(1030、1031、1032)のうちの1つ(例えば、インデックス1030)の場所にドラッグされたか否かを判定する」ものであるから、「ページ」中に「番号インデックス(1030、1031、1032)」が表示されるものであることも明らかである。
　そして、引用例Ａ記載の発明の「複数のページ」は、本願発明の「複数のホーム画面」に、引用例Ａ記載の発明の「各番号インデックス」は、本願発明の「ホーム画面内」に表示される「複数のホーム画面を示す複数のシンボル」にそれぞれ相当し、引用例Ａ記載の発明の「複数のアイコン(100、101、102)とページインデックス列103を表示」する「タッチ制御パネル10」は、本願発明の「複数のホーム画面のいずれか１つを表示し、前記ホーム画面内に前記複数のホーム画面を示す複数のシンボルを表示するタッチスクリーンディスプレイ」に相当する。
エ．引用例Ａ記載の発明は「ユーザ2が、ページ1中のいずれか1つのアイコン(100、101、102)に接触すると(例えば、アイコン100)、制御モジュールは、アイコン100が、ページインデックス列に示される番号インデックス(1030、1031、1032)のうちの1つ(例えば、インデックス1030)の場所にドラッグされたか否かを判定するように起動し、そして、アイコン100が番号インデックス1030のサイトにドラッグされると、番号インデックス1030をフォーカスし、
　制御モジュールはさらに、アイコン100がフォーカスされた番号インデックス1030の場所でタッチされたか否かを判定し、そして、アイコン100が、フォーカスされた番号インデックス1030の場所でタッチされない(すなわち、ユーザ2によりリリースされた)とき、アイコン100を、フォーカスされた番号インデックス1030で表されるページ(例えば、ページ5)に移動させるもの」であるから、引用例Ａ記載の発明の「制御モジュール」は、本願発明の「前記ホーム画面内に表示するアイコンの配置を調整する調整モードにおいて、複数のホーム画面内に表示される前記複数のシンボルの１つに前記アイコンが重ねられると、当該１つのシンボルとそれ以外のシンボルとの距離を長くし、前記複数のシンボルの１つに前記アイコンが重ねられてリリースされると、前記１つのシンボルが示すホーム画面に前記アイコンを移動させるコントローラ」と、「複数のホーム画面内に表示される前記複数のシンボルのいずれか１つに前記アイコンが重ねられ、前記複数のシンボルの１つに前記アイコンが重ねられてリリースされると、前記１つのシンボルが示すホーム画面に前記アイコンを移動させるコントローラ」である点で共通するといえる。
　よって、両者は以下の一致点と相違点とを有する。
〈一致点〉
　「複数のホーム画面のいずれか１つを表示し、前記ホーム画面内に前記複数のホーム画面を示す複数のシンボルを表示するタッチスクリーンディスプレイと、
　複数のホーム画面内に表示される前記複数のシンボルのいずれか１つに前記アイコンが重ねられ、前記複数のシンボルの１つに前記アイコンが重ねられてリリースされると、前記１つのシンボルが示すホーム画面に前記アイコンを移動させるコントローラと、
　を備える装置。」である点。
〈相違点１〉
　本願発明は、アイコンを移動させるコントローラが、「ホーム画面内に表示するアイコンの配置を調整する調整モード」においてアイコンを移動させるものであるのに対し、引用例Ａ記載の発明は、そのようなモードにおいてアイコンを移動させるものとされていない点。
〈相違点２〉
　本願発明は、アイコンを移動させるコントローラが、「複数のホーム画面内に表示される前記複数のシンボルの１つに前記アイコンが重ねられると、当該１つのシンボルとそれ以外のシンボルとの距離を長く」するものであるのに対し、引用例Ａ記載の発明は、アイコンが重ねられた番号インデックス（シンボル）とそれ以外の番号インデックス（シンボル）との距離を長くするものとされていない点。
（３）判断
　上記相違点２について検討する。
　引用例Ａ記載の発明は、アイコンがドラッグされた場所の番号インデックスをフォーカスする方法として、その番号インデックスを「輝かせること」、「瞬かせること」、「ズームさせること」、または、その組み合わせを含むもの、すなわち、アイコンのドラック先の番号インデックス自体の表示を変更するものではあるものの、アイコンが重ねられた番号インデックスとそれ以外の番号インデックスとの距離を長くする、すなわち、アイコンのドラック先とは異なる番号インデックスの表示位置の間隔を変更するものではない。
　そして、引用例Ａ自体には、引用例Ａ記載の発明の「番号インデックスをフォーカスする方法」を、「アイコンが重ねられた番号インデックス（シンボル）とそれ以外の番号インデックス（シンボル）との距離を長くする」ように変更すべきことを示唆する記載はない。
　引用例Ｂにも、アイコンが重ねられたシンボルとそれ以外のシンボルとの距離を長くする表示について記載されておらず、示唆されてもいない。
　また、そのような表示は、本願出願前周知技術であるともいえない。
　一方、本願発明は、相違点２に係る本願発明の構成を備えることで、アイコンのドラッグ先のシンボル以外をアイコンから離れた位置に表示させることにより、アイコンとドラッグ先のシンボルとが重なっていることを分かりやすくするといった効果を奏することができるものといえるから、技術上の意義を有しないものともいえない。
　ほかに、引用例Ａ記載の発明の「番号インデックスをフォーカスする方法」を、「アイコンが重ねられた番号インデックス（シンボル）とそれ以外の番号インデックス（シンボル）との距離を長くする」ように変更することが容易であったというべき理由を発見しない。
　以上を踏まえると、引用例Ａ記載の発明において上記相違点２に係る本願発明の構成を採用することは、当業者が容易になし得たこととはいえない。
（４）小括
　したがって、本願発明は、当業者が引用例Ａ記載の発明及び引用例Ｂ記載の技術に基づいて容易に発明をすることができたものとはいえなくなった。
　本願の請求項２〜５に係る発明は、本願発明をさらに限定したもの、本願の請求項６に係る発明は、本願発明を方法としたもの、本願の請求項７に係る発明は、本願発明をプログラムとしたものであるので、本願発明と同様に、当業者が引用例Ａ記載の発明及び引用例Ｂ記載の技術に基づいて容易に発明をすることができたものとはいえなくなった。
　そうすると、もはや、当審で通知した拒絶理由によって本願を拒絶することはできない。
第５　むすび
　以上のとおり、原査定の理由によっては、本願を拒絶することはできない。
　また、他に本願を拒絶すべき理由を発見しない。
　よって、結論のとおり審決する。